(57)【要約】      （修正有）【課題】通気性、強力な撥水性並びに縦横方向の伸縮性を有する撥水生地のみを使用することで使用性、取扱い性、洗濯乾燥効率等の向上を実現し、特に高齢者向け環境に応じるとともに、腰部肌への負担を軽減しずれやずれ落ちを防ぐおむつカバーを提供する。【解決手段】糸表面に炭素フッ素を付着させ縦横方向に伸縮するとともに通気性を有する撥水生地よりなるおむつパッドカバー本体１と、撥水生地よりなりおむつパッドカバー本体に設けられ任意のおむつパッドを抑えおむつパッドカバー本体内部の前面上部もしくは後面上部に端部を止着されたカバーシートと、おむつパッドカバー本体の開口部に肌への負担を軽減させる腰フィッティング部構造２とより構成される。【選択図】図１
0003201656.tif 000002
【実用新案登録請求の範囲】
【請求項１】
繊維フィラメントの表面に炭化フッ素等のナノサイズ撥水粒子をコーティングして編みこまれた通気性を有するとともに少なくとも縦横方向への伸縮性を有するとともに低摩擦性の撥水生地よりなる短い裾を有するパンツ型カバー本体と、
該カバー本体の腰開口部に前記カバー本体を折り返して締め付け効果を向上させた腰フィッティング部と、
該腰開口部用フィッティング部上部付近の設けられた第一ゴム伸縮部と、
該第一ゴム伸縮部の下位置に設けられた第二ゴム伸縮部と
前記カバー本体の内部にて装着者のおむつパッドを押さえ込むように少なくも前上方端を固定されたカバーシートとよりなることを特徴とするおむつカバー。
【請求項２】
繊維フィラメントの表面に炭化フッ素等のナノサイズ撥水粒子をコーティングして編みこまれた通気性を有するとともに少なくとも縦横方向への伸縮性を有するとともに低摩擦性の撥水生地よりなる短い裾を有するパンツ型カバー本体と、
該カバー本体の腰開口部に前記カバー本体を折り返して締め付け効果を向上させた腰フィッティング部と、
該腰開口部用フィッティング部上部付近の設けられた第一ゴム伸縮部と、
該第一ゴム伸縮部の下位置に設けられた第二ゴム伸縮部と
該カバー本体の左右裾足開口部に前記カバー本体を折り返して締め付け効果を向上させた一対の足開口部フィッティング部と、
前記カバー本体の内部にて装着者のおむつパッドを押さえ込むように少なくも前上方端を固定されたカバーシートとよりなることを特徴とするおむつカバー。
【考案の詳細な説明】
【技術分野】
【０００１】  本考案は、繊維に撥水粒子を施した伸縮性のある通気性を有するとともに低摩擦力の撥水生地を肌に触れるカバー本体ならびにカバーシートに活用することで装着感、褥瘡対策ならびに手入れ性を向上しつつ、腰開口部用フィッティング部、第一ゴム伸縮部、第二ゴム伸縮部で肌への刺激を減少させるとともに分散した締めつけでずれやずれ下がりを防止するおむつカバーに関する。
【背景技術】
【０００２】  従来、左右で止着する開閉式おむつカバーの他にパンツ型おむつカバーとして特許文献１に示すように収縮性を有する生地よりなるブリーフ型で、内部におむつを固定するおむつ収容部を有するものがあった。【０００３】  おむつカバーの生地としては防水性生地、防水加工生地を用いたものや、装着時のムレを軽減するために、特許文献２に示すように撥水性の外装生地、通気性を有する給水生地等の複数層の構成よりなるものがあった。
【先行技術文献】
【特許文献】
【０００４】
【特許文献１】特開平１１−２１６１６４号
【特許文献２】実用新案登録第３１６４１３６号
【考案の概要】
【考案が解決しようとする課題】
【０００５】  通常の開閉式おむつカバーは装着者を寝かせた状態で腰を持ち上げおむつカバー並びに吸収パッドを配置し左右で装着するため、作業者の手間がかかり負担となっていた。あわせて、吸収パッドが正常な位置からずれてしまうこともあった。【０００６】  パンツ型でずれ下がりを防ぐために腰部にゴムを通して締めつけるものにあってはゴムにある程度の締め付け強度が必要となり、それによりゴムが当たる肌の部位が傷ついたりかぶれることがあった。【０００７】  伸縮素材部を折り返し締めつけるものにあっては支えに必要な締めつけ強度が得られず、ずれやずれ落ちが発生するおそれがあった。【０００８】  生地として防水性生地、防水加工生地を用いたものにあっては、通気性が欠如するために装着部位に湿気や熱がこもり肌を痛め、皮膚病の発生要因となり、傷、かぶれ褥瘡等を引き起こすことがあった。その回避のためにはこまめな着脱や手入れが必要となっていた。
通気性を考慮したものであっても、複数層構造となっているために、カバー自体が肉厚となり、装着性ならびに装着時の外観を損なうものであった。
また、装着時の動きにより複数層間のずれが発生し、吸収パッドのずれをひきおこすことが多々あった。複数層間を前面で粘着などした場合はカバー全体がごわついたり硬くなり装着感の欠如、通気性の低下、吸水パッドの固定性の低下を引き起こす。
あわせて、再利用目的のものになっては、洗濯をした場合に乾燥性にかけるために乾燥時間に時間を費やすという問題あった。
本考案は、これら各種課題を解決するものである。
【課題を解決するための手段】
【０００９】  繊維フィラメントの表面に炭化フッ素等のナノサイズ撥水粒子をコーティングして編みこまれた通気性を有するとともに少なくとも縦横方向への伸縮性を有するとともに低摩擦性の撥水生地よりなる短い裾を有するパンツ型カバー本体と、
該カバー本体の腰開口部に前記カバー本体を折り返して締め付け効果を向上させた一対の腰フィッティング部と、
該腰フィッティング部上部付近の設けられた第一ゴム伸縮部と、
該第一ゴム伸縮部の下位置に設けられた第二ゴム伸縮部と
前記カバー本体の内部にて前記カバー本体と同素材で装着者のおむつパッドを押さえ込むように少なくも前上方端を固定されたカバーシートとより構成される。【００１０】  繊維フィラメントの表面に炭化フッ素等のナノサイズ撥水粒子をコーティングして編みこまれた通気性を有するとともに少なくとも縦横方向への伸縮性を有するとともに低摩擦性の撥水生地よりなる短い裾を有するパンツ型カバー本体と、
該カバー本体の腰開口部に前記カバー本体を折り返して締め付け効果を向上させた一対の腰フィッティング部と、
該腰フィッティング部上部付近の設けられた第一ゴム伸縮部と、
該第一ゴム伸縮部の下位置に設けられた第二ゴム伸縮部と
該カバー本体の左右裾足開口部に前記カバー本体を折り返して締め付け効果を向上させた一対の足開口部フィッティング部と、
前記カバー本体の内部にて前記カバー本体と同素材で装着者のおむつパッドを押さえ込むように少なくも前上方端を固定されたカバーシートとより構成される。
【考案の効果】
【００１１】  本考案において、両面が撥水機能を有するとともに通気性、縦横伸縮性を有する低摩擦性撥水生地単体でおむつカバー本体、カバーシート、腰フィッティング部を構成することで、これらが皮膚と接触しても肌損傷を防止することができる。
この際、生地が縦横の伸縮性をもつためおむつパッドの過剰な押さえつけの緩衝の役割を果たすとともに、通気性を保持することで蒸れにより菌の発生を抑止し、衛生的な使用を実現した。【００１２】  カバーシートの生地自体が縦横の伸縮性を有し、少なくとも前上端部で固定され、股下で抑え込まれかつ後方まで伸びておむつパッドを覆うため、装着者の生活上の動き、就寝時の寝返り等があってもカバーシートがそれに合わせて伸縮し抑え込むことでおむつパッドのずれ防止となる。【００１３】  また、腰フィッティング部に設けられた第一ゴム伸縮部と第二ゴム伸縮部を設けることにより３つの分散した押え効果が得られより確実にずれやずれ落ちを回避することができる。
この際、分散させることで内在させたゴムは通常よりも締めつけ性を弱めることができ肌への負担を軽減させる。
あわせて、ゴムが配置された部位に関しても肌に触れるのは前記低摩擦性撥水生地なので、より肌への負担を回避できる。【００１３】  撥水生地単層の基本部材となるため極めて軽量となり装着者への不要な重量負担が解消される。
あわせて、洗濯時には吸水性を有する生地が殆ど使用されていないため、洗濯後には手で持ち強く振ることで水分が殆ど飛び極めて短時間の干しですぐ利用することができる。【００１４】  足開口部フィッティング部を有するとで裾部が固定され、これによりより確実に吸収パッドを安定して正規位置に押さえ込むがこと可能となった。
【図面の簡単な説明】
【００１５】
【図１】  本考案の実施形態の正面図
【図２】  本考案の実施形態の右側面図
【図３】  本考案の実施形態の斜視図
【図４】  本考案の実施形態の部分説明図
【図５】  本考案の実施形態のパーツ説明図
【図６】  本考案の実施形態のＡ−Ａ断面図
【図７】  本考案の実施形態の腰フィッティング部の説明図
【図８】  本考案の実施形態の足開口部フィッティング部の説明図
【考案を実施するための形態】
【００１６】  本考案の撥水生地について説明する。
本考案の撥水生地は、生地を構成するポリエチレンやナイロン等の糸の繊維フィラメントの表面に炭化フッ素等のナノサイズ撥水粒子をコーティングして縦横の伸縮を実現するように編み込まれたものである。これにより、生地全面をコーティングしないため、優れた通気性を実現している。これら撥水機能は生地全面すなわち表裏両面に及ぶ。この際、撥水効果としては通常の水分の接触に関しては撥水し内部侵入ならびに反対面への浸透はないが、高圧で水分が逃げない方向への圧力に関して浸透するものである。
これら生地に関しては、より細い糸と編み密度を高めることで高撥水性ならびに軽量化並びに低摩擦力化を実現するものである。
本考案においては、尿や汗等の水分に対し就寝時や生活時においておむつカバーとしての利用に置いて適度な空間並びに撥水移動効果により浸透しない範囲の撥水生地が利用される。
【００１７】  以下、本考案実施形態について図１乃至図８をもちいて説明する。
図１は本考案の実施形態の正面図、図２は本考案の実施形態の右側面図、図３は本考案の実施形態の斜視図、図４は本考案の実施形態の部分説明図、図５は本考案の実施形態のパーツ説明図、図６は本考案の実施形態のＡ−Ａ断面図、図７は本考案の実施形態の腰フィッティング部の説明図、図８は本考案の実施形態の足開口部フィッティング部の説明図である。
本考案は、カバー本体１、カバーシート７、足開口部フィッティング部３、腰開口部フィッティング部２により構成されるパンツ型おむつカバーである。この際のパンツ型とは足裾部を有する一般にボクサータイプと呼ばれる形状となっている。
カバー本体１、足開口部フィッティング部３、腰開口部フィッティング部２は撥水生地よりなる右前身頃５ａ、左前身頃５ｂ、右後身頃６ａ、左後身頃６ｂ、の４つの生地と一対のゴム８より構成される。
左右前身頃５ａ、５ｂ及び左右後身頃６ａ、６ｂはそれぞれ対称な形状よりなる。
左右前身頃５ａ、５ｂはそれぞれの前後縫合部１１ａにより縫合ざれる。
左右後身頃６ａ、６ｂはそれぞれ前後縫合部１１ｂにより縫合される。
右前身頃５ａと右後身頃６ａの長辺開放側辺は側部縫合部１３ａで縫合される。
左前身頃５ｂと左後身頃６ｂの長辺開放側辺は側部縫合部１３ｂで縫合される。
右前身頃５ａと右後身頃６ａの短辺開放側辺は足部縫合部１２ａで縫合される。
左前身頃５ｂと左後身頃６ｂの短辺開放側辺は足部縫合部１２ｂで縫合される。
足開口部フィッティング部３は左右前身頃５ａ、５ｂと左右後身頃６ａ、６ｂのそれぞれに設けられた足折り返し部１０ａ、１０ｂを折り返し、縫合部４ｄにより図８に示すような三層状態となる。これにより、生地自体の収縮性により太もも付け根の大きさ形状にフィットしずれを押さえ込む作用をもたらす。
腰開口部フィッティング部２は左右前身頃５ａ、５ｂと左右後身頃６ａ、６ｂのそれぞれに設けられた腰折り返し部９ａ、９ｂで折り返され、これを縫合部４ａ，４ｂ，４ｃで縫合される。
この際、折り返された生地間で縫合部４ａと４ｂの中間位置、縫合部４ｂと４ｃの中間位置に輪状のゴム８がそれぞれ巻き込まれた状態で配置する。ここで、カバー本体の上部ゴム８が存在する部位を第一ゴム伸縮部、下部ゴム８が存在する部位を第二ゴム伸縮部となる。
ここでゴムの伸縮強度としては一つのゴム単体でカバー本体１のずれやずれ落ちを防ぐ強度は必要なく、ゴム８と生地の折り返しによる腰開口部フィッティング部２との相乗効果でずれやずれ落ちを防ぐものであることが望ましい。
この腰開口部フィッティング部２を形成する縫合において、図７に示すようにおむつカバーの中央前方部と中央後方部にカバーシート７の各端辺を挟みこむことで、図６に示すようにカバーシート７がおむつカバー本体にハンモック状に係止される。
ここでカバーシート７は、略帯状であり図５におけるところの上下部位は幅広で中間部が若干狭まっている。ここで、カバーシートの形状条件として取り付けられたおむつパッドを男女の排泄尿部位部分に対して左右から抑え覆う形状大きさがあげられる。左右の押さえ込みを向上させるために左右端部はストレッチ性を有する縫合処理が施されていることが望ましい。
おむつパッドのずれをより確実に防ぐために、カバーシート７の前後上部付近にパッド固定機構の役割をなす止着シート１７が設けられている。
ここで、止着シート１７とは両面テープ、粘着シート、面ファスナー等があげられる。両面テープ、粘着シートにおいてはおむつパッドに特別の止着対応部材を用いなくても、部材自体の素材に止着可能である。但し、再利用を検討する場合においては、洗浄等で止着能力が復元するものであることが望ましい。
面ファスナーを利用する場合においては、おむつパッドにも該当の面ファスナーで着脱可能となる止着部材を装着時の適宜位置に配することが必要となる。
これらパッド固定機構に関して、上記各種素材が検討できるが、位置及び大きさに関しては、装着時の活動、就寝等の各種状況において、肌にそれら固定機構に関する部材が触れないものであることが望ましい。
なお、本考案での縫合部４は全てストレッチ性を有する縫合処理とすることで本考案の目的とする作用効果が得られるものである。
【００１８】  本考案を使用するときは、任意のおむつパッドを排泄尿部位にあて、本おむつカバーを装着する。これにより、カバーシート７でおむつパッドが押さえつけられ固定される。固定に際し、カバーシートは前後をカバー本体１前後上端部で固定され、かつまた下部でも固定されているため３点で左右へのずれ抑止になるとともに、縦横伸縮性により装着時は前後左右への移動摩擦負担の緩衝ならびに元の位置に押し戻す位置復元効果を及ぼす。
【００１９】  この際、各フィッティング部は伸縮性の生地が折り返されることでより強力な伸縮性を実現し、カバー本体以上の締め付け効果で流出した尿や汗等の水部が外部に流出することを防ぐ。
【００２０】  本考案においてゴムベルトは撥水生地で覆われているため、水分を浸透しにくくなっているため従来より乾燥性に優れ、早期再利用を可能とする。
【００２１】  本考案の最たる特徴は腰フィッティング部２に第一ゴム伸縮部１５、第二ゴム伸縮部１６を有する点である。あくまでも伸縮性を有する低摩擦性生地が肌にふれていることで肌が摩擦により損傷することを防ぐ。ずれやずれ落ちに対しては生地を折り返したフィッティング部自体の締め付け、第一ゴム伸縮部１５、第二ゴム伸縮部１６による補助的締めつけと締め付けを分散させた点にある。
例えば上下方向へのずれやずれ落ちに対してはフィッティング部と第二ゴム伸縮部１６による締め付けで一時的押さえ作用とし、この第二ゴム伸縮部１６が若干ずれても第一ゴム伸縮部１５、第二ゴム伸縮部１６の生地が伸縮し更に第一ゴム伸縮部１５でカバー本体１上端を押さえる。この際、第二ゴム伸縮部１６がずれても低摩擦性生地により肌への損傷は最低限に抑えることができる。
また、就寝時の寝返り等による左右のずれに関しても第一ゴム伸縮部１５、第二ゴム伸縮部１６間の作用が前記上下方向への作用効果が横方向に変わった状態となり同様の効果が得られる。
また、本考案ではおむつパッドのずれをより確実に防ぐために、カバーシート７の前後上部付近にパッド固定機構の役割をなす止着シート１７が設けられている。これにより、おむつパッドずれ回避の効果を得られる。
以上、実施形態を記載したが本目的を達成するための必要構成に関するものであれば、本実施形態に限定されるものではない。
【符号の説明】
【００２２】    １  カバー本体、
２  腰フィッティング部
３  足開口部フィッティング部
４；４ａ；４ｂ；４ｃ；４ｄ  縫合部
５；５ａ；５ｂ  前身頃
６；６ａ；６ｂ  後身頃
７  カバーシート
８；８ａ；８ｂ  ゴム
９；９ａ；９ｂ  腰折り返し部
１０；１０ａ；１０ｂ  足折り返し部
１１；１１ａ；１１ｂ  前後縫合部
１２；１２ａ；１２ｂ  足縫合部
１３；１３ａ；１３ｂ  側部縫合部
１５  第一ゴム伸縮部
１６  第二ゴム伸縮部
１７  止着シート
【図１】
0003201656.tif 000003
【図２】
0003201656.tif 000004
【図３】
0003201656.tif 000005
【図４】
0003201656.tif 000006
【図５】
0003201656.tif 000007
【図６】
0003201656.tif 000008
【図７】
0003201656.tif 000009
【図８】
0003201656.tif 000010